(57)【要約】  本発明の課題は、インプット情報（音情報、光情報、温度情報等）に連動して、有機ＥＬ素子を調色発光させることにより、優美なオブジェクトとしての照明の演出性及び装飾性を備えた有機ＥＬ照明装置を提供することである。  本発明の有機ＥＬ照明装置は、調色発光可能な有機ＥＬ素子を備えたフレキシブル面発光体を具備し、インプット情報を入力する情報入力部と、調色発光を制御し演出するための演出データを保存し、インプット情報に基づき演出データを選択して電気信号として出力する演出データ保存部と、演出データ保存部から出力された演出データの電気信号を入力させる有機ＥＬ素子を選択・制御する信号制御回路部と、前記信号入力制御回路からの電気信号に基づいて有機ＥＬ素子から発光させる光の少なくとも色相と輝度を制御する有機ＥＬ素子制御回路部とを備えていることを特徴とする。
2015118932.tif 000002
【特許請求の範囲】
【請求項１】
樹脂基材上に、インプット情報に基づいて調色発光する有機エレクトロルミネッセンス素子を備えた少なくとも一つのフレキシブル面発光体を具備した有機エレクトロルミネッセンス照明装置であって、
（ａ）所定のインプット情報を入力する情報入力部と、
（ｂ）前記調色発光を制御し演出するための演出データを保存しており、かつ前記インプット情報に基づき、当該演出データを選択して電気信号として出力する機能を有する演出データ保存部と、
（ｃ）前記演出データ保存部から出力された演出データの電気信号を入力させる有機エレクトロルミネッセンス素子を選択・制御する信号制御回路部と、
（ｄ）前記信号制御回路部からの電気信号に基づいて前記有機エレクトルミネッセンス素子から発光させる光の少なくとも色相と輝度を制御する有機エレクトロルミネッセンス素子制御回路部と、
を備えていることを特徴とする有機エレクトロルミネッセンス照明装置。
【請求項２】
前記有機エレクトロルミネッセンス素子が、それぞれ独立して調色発光制御が可能な発光層ユニットを、縦方向に複数個積層したタンデム構成であることを特徴とする請求項１に記載の有機エレクトロルミネッセンス照明装置。
【請求項３】
前記有機エレクトロルミネッセンス素子の発光を制御する前記インプット情報が、音情報、光情報又は温度情報であることを特徴とする請求項１又は請求項２に記載の有機エレクトロルミネッセンス照明装置。
【請求項４】
前記有機エレクトロルミネッセンス素子の光取出し側電極が、銀を主成分とし、厚さが２〜２０ｎｍの範囲内にある透明陽極であることを特徴とする請求項１から請求項３までのいずれか一項に記載の有機エレクトロルミネッセンス照明装置。
【請求項５】
長尺の帯状基材上に、２つ以上の前記フレキシブル面発光体を並列配置している発光ユニット群を有し、前記２つ以上のフレキシブル面発光体を、それぞれ独立して調色発光制御することができることを特徴とする請求項１から請求項４までのいずれか一項に記載の有機エレクトロルミネッセンス照明装置。
【請求項６】
前記発光ユニット群が、２ユニット以上で構成されていることを特徴とする請求項５に記載の有機エレクトロルミネッセンス照明装置。
【請求項７】
樹脂基材上に、インプット情報に基づいて調色発光する有機エレクトロルミネッセンス素子を備えた少なくとも一つのフレキシブル面発光体の照明方法であって、
（ａ）所定のインプット情報を入力する情報入力手段と、
（ｂ）前記調色発光を制御し演出するための演出データを保存しており、かつ前記インプット情報に基づき、当該演出データを選択して電気信号として出力する機能を有する演出データ保存手段と、
（ｃ）前記演出データ保存手段から出力された演出データの電気信号を入力させる有機エレクトロルミネッセンス素子を選択・制御する信号制御手段と、
（ｄ）前記信号制御手段からの電気信号に基づいて前記有機エレクトルミネッセンス素子から発光させる光の少なくとも色相と輝度を制御する有機エレクトロルミネッセンス素子制御手段により、
前記調色発光する有機エレクトロルミネッセンス素子の発光を制御して照明することを特徴とする照明方法。
【請求項８】
前記フレキシブル面発光体の発光を制御する前記インプット情報が、音情報、光情報又は温度情報であることを特徴とする請求項７に記載の照明方法。
【請求項９】
長尺の帯状基材上に、２つ以上の前記フレキシブル面発光体を並列配置している発光ユニット群を有し、前記２つ以上のフレキシブル面発光体を、それぞれ独立して調色発光制御することを特徴とする請求項７又は請求項８に記載の照明方法。
【請求項１０】
前記発光ユニット群を、２ユニット以上組み合わせて構成することを特徴とする請求項９に記載の照明方法。
【請求項１１】
前記フレキシブル面発光体又は前記発光ユニット群を、外部手段によりたなびかせて照明することを特徴とする請求項９又は請求項１０に記載の照明方法。
【請求項１２】
前記フレキシブル面発光体又は前記発光ユニットをたなびかせるための前記外部手段が、送風器又は駆動モーターであることを特徴とする請求項１１に記載の照明方法。
【発明の詳細な説明】
【技術分野】
【０００１】
本発明は、有機エレクトロルミネッセンス素子を備えたフレキシブル面発光体と、当該フレキシブル面発光体の発光を、外部情報により制御する発光制御手段を具備した有機エレクトロルミネッセンス照明装置と、当該有機エレクトロルミネッセンス照明装置を駆動させる照明方法に関する。
【背景技術】
【０００２】
近年、有機エレクトロルミネッセンス素子（以下、「有機ＥＬ素子」と略記する。）等を具備した面状発光体を照明光源として用いた照明装置が注目されている。有機エレクトロルミネッセンス素子は、一般に、発光性有機化合物を含有する発光層を含む有機機能層群を陽極と陰極とで挟持した構成を有し、当該電極対間に電圧を印加することにより発光する素子であり、電飾、サイン用光源、発光ポスター、照明装置等の各種分野に用いられている。【０００３】
近年、有機エレクトロルミネッセンス素子を用いた照明装置においては、室内における照明機器として、演出性や装飾性をより高めるためる観点から、十分なしなやかさで、立体感、あるいは奥行き感を発揮すると共に、有機エレクトロルミネッセンス素子の特性を活用した演出性や装飾性をアピールする新たな活用分野への展開が求められている。【０００４】
上記要望に対し、フレキシブルな有機エレクトロルミネッセンス素子を用いた照明装置で、駆動方法に関する具体的な記載はないが、フレキシブルな有機エレクトロルミネッセンス素子の両端部を回転可能な支持構造部材に連結させることにより、湾曲した形態を動的に変化させることができる有機エレクトロルミネッセンス素子を具備した照明装置が開示されている（例えば、特許文献１参照。）。しかしながら、特許文献１に開示されている方法は、外部情報に基づき、発光制御手段を用いて有機エレクトロルミネッセンス素子の発光を制御して調色発光させることの記載はなく、照明装置としての演出性、あるいは装飾性としては不十分である。【０００５】
また、フレキシブル基材とその表面に固体発光デバイスを有し、発光デバイスのパネル部分の一部が、発光表面を選択的に曲げることができる形状合わせ機構を備えた照明機構が開示されている（例えば、特許文献２参照。）。しかしながら、開示されている方法では、有機エレクトロルミネッセンス素子の少なくとも２辺が支持構造により固定されている形態のため、有機エレクトロルミネッセンス素子のしなやかな動きが極めて困難であり、加えて、外部情報に基づき、発光制御手段を用いて有機エレクトロルミネッセンス素子の発光を制御して調色発光させることの記載はなく、照明装置としての演出性や装飾性が不十分で、魅力の乏しい照明装置となっている。【０００６】
また、特許文献３には、制御部が、制御入力に応じて、発光態様データ記録部から発光態様データを抽出し、抽出した発光態様データによって示される発光態様となるように面状発光部を駆動する発光制御方法が開示されている。特許文献３に記載されている方法は、あくまでも照明対象物を適切な条件で照明することであり、入力情報としては、照明対象物の属性を主に開示した方法であり、外部情報に基づき、発光制御手段により、調色が可能な有機エレクトロルミネッセンス素子の発光を制御して調色発光させることの記載は見られない。【０００７】
一方、特許文献４には、有機エレクトロルミネッセンス素子から構成される複数の画素が配列され、発光輝度情報と外光輝度情報に基づいて、表示部の表示輝度を調整する表示装置が開示されている。しかしながら、特許文献４に記載されている方法は、周辺の明るさに応じて、表示装置の輝度を制御することにより、視認性を高めることを目的とする方法であり、外部情報に基づき、発光制御手段により有機エレクトロルミネッセンス素子の発光を制御して調色発光させることの記載はなく、照明装置としての演出性、あるいは装飾性としては不十分である。【０００８】
従来の技術では、様々な外部環境の情報に連動して、樹脂基材を有する有機エレクトロルミネッセンス素子を用いたフレキシブル面発光体の発光を制御することにより、照明の演出性、あるいは装飾性に優れた魅力ある照明装置の出現が望まれている。
【先行技術文献】
【特許文献】
【０００９】
【特許文献１】米国特許出願公開第２０１３／００４４４８７号明細書
【特許文献２】特表２０１３−５２８８９７号公報
【特許文献３】特開２０１３−０７７３８７号公報
【特許文献４】特開２００８−１７６１１５号公報
【発明の概要】
【発明が解決しようとする課題】
【００１０】
本発明は、上記問題に鑑みてなされたものであり、その解決課題は、自然で、しなやかな動きが可能な、調色発光が可能な有機エレクトロルミネッセンス素子を具備したフレキシブル面発光体の発光を、様々なインプット情報（例えば、音声情報、光情報、温度情報等）を入力し、その入力情報に連動してその発光条件を制御することにより、優美なオブジェクトとしての照明の演出性及び装飾性を備えた有機エレクトロルミネッセンス照明装置と照明方法を提供することである。
【課題を解決するための手段】
【００１１】
本発明者は、上記課題に鑑み鋭意検討を進めた結果、樹脂基材上にインプット情報に基づいて調色発光する有機エレクトロルミネッセンス素子を備えたフレキシブル面発光体を有し、情報入力部と、演出データ保存部と、信号制御回路部と、有機エレクトロルミネッセンス素子制御回路部とを備えていることを特徴とする有機エレクトロルミネッセンス照明装置（以下、有機ＥＬ照明装置ともいう。）により、様々なインプット情報（例えば、音情報、光情報、温度情報等）に連動して、有機エレクトロルミネッセンス素子を調色発光させることにより、優美なオブジェクトとしての照明の演出性及び装飾性を備えた有機エレクトロルミネッセンス照明装置を提供することができることを見出し、本発明に至った。【００１２】
すなわち、本発明の上記課題は、下記の手段により解決される。【００１３】
１．樹脂基材上に、インプット情報に基づいて調色発光する有機エレクトロルミネッセンス素子を備えた少なくとも一つのフレキシブル面発光体を具備した有機エレクトロルミネッセンス照明装置であって、
（ａ）所定のインプット情報を入力する情報入力部と、
（ｂ）前記調色発光を制御して演出するための演出データを保存しており、かつ前記インプット情報に基づき、当該演出データを選択して電気信号として出力する機能を有する演出データ保存部と、
（ｃ）前記演出データ保存部から出力された演出データの電気信号を入力させる有機エレクトロルミネッセンス素子を選択・制御する信号制御回路部と、
（ｄ）前記信号入力制御回路からの電気信号に基づいて前記有機エレクトルミネッセンス素子から発光させる光の少なくとも色相と輝度を制御する有機エレクトロルミネッセンス素子制御回路部と、
を備えていることを特徴とする有機エレクトロルミネッセンス照明装置。【００１４】
２．前記有機エレクトロルミネッセンス素子が、それぞれ独立して調色発光制御が可能な発光層ユニットを、縦方向に複数個積層したタンデム構成であることを特徴とする第１項に記載の有機エレクトロルミネッセンス照明装置。【００１５】
３．前記有機エレクトロルミネッセンス素子の発光を制御する前記インプット情報が、音情報、光情報又は温度情報であることを特徴とする第１項又は第２項に記載の有機エレクトロルミネッセンス照明装置。【００１６】
４．前記有機エレクトロルミネッセンス素子の光取出し側電極が、銀を主成分とし、厚さが２〜２０ｎｍの範囲内にある透明陽極であることを特徴とする第１項から第３項までのいずれか一項に記載の有機エレクトロルミネッセンス照明装置。【００１７】
５．長尺の帯状基材上に、２つ以上の前記フレキシブル面発光体を並列配置している発光ユニット群を有し、前記２つ以上のフレキシブル面発光体を、それぞれ独立して調色発光制御することができることを特徴とする第１項から第４項までのいずれか一項に記載の有機エレクトロルミネッセンス照明装置。【００１８】
６．前記発光ユニット群が、２ユニット以上で構成されていることを特徴とする第５項に記載の有機エレクトロルミネッセンス照明装置。【００１９】
７．樹脂基材上に、インプット情報に基づいて調色発光する有機エレクトロルミネッセンス素子を備えた少なくとも一つのフレキシブル面発光体の照明方法であって、
（ａ）所定のインプット情報を入力する情報入力手段と、
（ｂ）前記調色発光を制御し演出するための演出データを保存しており、かつ前記インプット情報に基づき、当該演出データを選択して電気信号として出力する機能を有する演出データ保存手段と、
（ｃ）前記演出データ保存部から出力された演出データの電気信号を入力させる有機エレクトロルミネッセンス素子を選択・制御する信号制御手段と、
（ｄ）前記信号制御手段からの電気信号に基づいて前記有機エレクトルミネッセンス素子から発光させる光の少なくとも色相と輝度を制御する有機エレクトロルミネッセンス素子制御手段により、
前記調色発光する有機エレクトロルミネッセンス素子の発光を制御して照明することを特徴とする照明方法。【００２０】
８．前記フレキシブル面発光体の発光を制御する前記インプット情報が、音情報、光情報又は温度情報であることを特徴とする第７項に記載の照明方法。【００２１】
９．長尺の帯状基材上に、２つ以上の前記フレキシブル面発光体を並列配置している発光ユニット群を有し、前記２つ以上のフレキシブル面発光体を、それぞれ独立して調色発光制御することを特徴とする第７項又は第８項に記載の照明方法。【００２２】
１０．前記発光ユニット群を、２ユニット以上組み合わせて構成することを特徴とする第９項に記載の照明方法。【００２３】
１１．前記フレキシブル面発光体又は前記発光ユニット群を、外部手段によりたなびかせて照明することを特徴とする第９項又は第１０項に記載の照明方法。【００２４】
１２．前記フレキシブル面発光体又は前記発光ユニットをたなびかせるための前記外部手段が、送風器又は駆動モーターであることを特徴とする第１１項に記載の照明方法。
【発明の効果】
【００２５】
本発明の上記手段により、自然で、かつしなやかな動きが可能なフレキシブル面発光体を具備し、インプット情報に基づき調色発光させることにより、優美なオブジェクトとしての照明の演出性及び装飾性を備えた有機エレクトロルミネッセンス照明装置と照明方法を提供することができる。【００２６】
従来の照明方法では、音楽、光、あるいは温度等の環境条件として不規則に変動する外的情報に連動して、調色発光する機能を備えたものではなく、照明装置としての照明の演出性や装飾性に乏しいものであった。【００２７】
本発明の有機ＥＬ照明装置においては、不規則に変動する外部情報、例えば、音声情報（例えば、音楽等）、照明装置が設置されている空間の光量や色相等の光情報、あるいは温度情報等の情報をインプットし、インプットされたインプット情報に基づき、あらかじめパーソナルコンピューター内に保存してある様々な演出データの中から所望の演出データを選択し、その演出データに従い、調色機能を有するフレキシブル有機エレクトロルミネッセンス素子を、あらかじめ設定してあるプログラムに従って発光させることにより、照明装置として優美なオブジェとしての利用が可能で、優れた装飾性及び照明の演出性を備えた有機ＥＬ照明装置を提供することができる。
【図面の簡単な説明】
【００２８】
【図１】本発明の有機ＥＬ照明装置の発光を制御する方法の一例を示すブロック図
【図２】複数個のフレキシブル面発光体を具備した本発明の有機ＥＬ照明装置の発光を制御する方法の一例を示すブロック図
【図３】本発明の有機ＥＬ照明装置に適用可能な調色機能を備えたタンデム型の有機ＥＬ素子の一例を示す概略断面図
【図４】本発明の有機ＥＬ照明装置に適用可能な調色機能を備えたタンデム型の有機ＥＬ素子の他の一例を示す概略断面図
【図５】本発明の有機ＥＬ照明装置に適用可能な調色機能を備えたタンデム型の有機ＥＬ素子の他の一例を示す概略断面図
【図６Ａ】本発明の有機ＥＬ照明装置に適用可能なフレキシブル面発光体の構成の一例を示す概略断面図
【図６Ｂ】本発明の有機ＥＬ照明装置に適用可能なフレキシブル面発光体の構成の他の一例を示す概略断面図
【図６Ｃ】本発明の有機ＥＬ照明装置に適用可能なフレキシブル面発光体の構成の他の一例を示す概略断面図
【図６Ｄ】本発明の有機ＥＬ照明装置に適用可能なフレキシブル面発光体の構成の他の一例を示す概略断面図
【図７】帯状の保持部材上に、複数個のフレキシブル面発光体を並列配置した発光ユニット群の一例を示す模式図
【図８】発光ユニット群を、複数個連結して構成した有機ＥＬ照明装置の一例を示す模式図
【図９】フレキシブル面発光体上における有機ＥＬ素子の配置パターンの一例を示す模式図
【図１０】本発明の有機ＥＬ照明装置に対し、可動手段を設置した一例を示す模式図
【図１１Ａ】本発明の有機ＥＬ照明装置の設置方法の一例を示す模式図
【図１１Ｂ】本発明の有機ＥＬ照明装置の設置方法の他の一例を示す模式図
【図１１Ｃ】本発明の有機ＥＬ照明装置の設置方法の他の一例を示す模式図
【発明を実施するための形態】
【００２９】
本発明の有機エレクトロルミネッセンス照明装置は、インプット情報に基づいて調色発光する有機エレクトロルミネッセンス素子を備えた少なくとも一つのフレキシブル面発光体を具備した有機エレクトロルミネッセンス照明装置であって、（ａ）所定のインプット情報を入力する情報入力部と、（ｂ）前記調色発光を制御し演出するための演出データを保存しており、かつ前記インプット情報に基づき、当該演出データを選択して電気信号として出力する機能を有する演出データ保存部と、（ｃ）前記演出データ保存部から出力された演出データの電気信号を入力させる有機エレクトロルミネッセンス素子を選択・制御する信号制御回路部と、（ｄ）前記信号制御回路部からの電気信号に基づいて前記有機エレクトルミネッセンス素子から発光させる光の少なくとも色相と輝度を制御する有機エレクトロルミネッセンス素子制御回路部とを備えていることを特徴とする。この特徴は、請求項１から請求項１２に係る発明に共通する技術的特徴である。
【００３０】
本発明の実施態様としては、本発明の目的とする効果をより発現できる観点から、有機エレクトロルミネッセンス素子が、それぞれ独立して調色発光制御が可能な発光層ユニットを、縦方向に複数個積層したタンデム構成であることが、より簡潔な層構成で面発光体を形成でき、安定した調色発光が可能となる点から好ましい。
【００３１】
また、前記有機エレクトロルミネッセンス素子の発光を制御する前記インプット情報が、音情報、光情報又は温度情報であることが、設置環境の変化を的確に把握し、臨場感のある照明を演出することができる観点から好ましい。
【００３２】
また、前記有機エレクトロルミネッセンス素子が、銀を主成分とし、厚さが２〜２０ｎｍの範囲内にある透明陽極を有することが、発光均一性及び光取出し効率が高く、安定した発光を得ることができる観点から好ましい態様である。
【００３３】
また、長尺の帯状基材上に、２つ以上のフレキシブル面発光体を並列配置している発光ユニット群を有し、当該２つ以上のフレキシブル面発光体を、それぞれ独立して調色発光制御することができる構成とすること、さらには、発光ユニット群を２ユニット以上組み合わせて構成することにより、複数の面発光体のそれぞれを様々な発光条件（調色条件）で発光することにより、照明装置としての表現性を向上でき、より立体感を備え、より一層優美なオブジェクトとして、照明演出性及び装飾性を備えた有機ＥＬ照明装置を実現することができる。
【００３４】
本発明の照明方法としては、樹脂基材上に、インプット情報に基づいて調色発光する有機エレクトロルミネッセンス素子を備えた少なくとも一つのフレキシブル面発光体の照明方法であって、（ａ）所定のインプット情報を入力する情報入力手段と、（ｂ）前記調色発光を制御し演出するための演出データを保存しており、かつ前記インプット情報に基づき、当該演出データを選択して電気信号として出力する機能を有する演出データ保存手段と、（ｃ）前記演出データ保存手段から出力された演出データの電気信号を入力させる有機エレクトロルミネッセンス素子を選択・制御する信号制御手段と、（ｄ）前記信号制御手段からの電気信号に基づいて前記有機エレクトルミネッセンス素子から発光させる光の少なくとも色相と輝度を制御する有機エレクトロルミネッセンス素子制御手段により、前記調色発光する有機エレクトロルミネッセンス素子の発光を制御して照明することを特徴とする。
【００３５】
更には、フレキシブル面発光体又は前記発光ユニットを、外部手段によりたなびかせて照明すること、あるいは当該外部手段として、送風器又は駆動モーターでたなびかせることにより、設置環境の変化（例えば、音、光、温度等）に対し、躍動感のある動きを発現させることができ、優美で躍動的なオブジェクトとしての照明の演出性及び装飾性を備えた有機ＥＬ照明装置を実現することができる。
【００３６】
以下、本発明とその構成要素、及び本発明を実施するための形態・態様について詳細な説明をする。なお、以下の説明において示す「〜」は、その前後に記載される数値を下限値及び上限値として含む意味で使用する。また、本発明において、フレキシブル面発光体とは、樹脂基材上に、インプット情報に基づいて調色発光する有機エレクトロルミネッセンス素子を具備する構成をいい、有機エレクトロルミネッセンス素子（ＯＬＥＤ）とは、後述する図３〜図５に示す構成においては、厳密には陰極５１から陽極５４までの構成範囲をさすが、便宜上、樹脂基材を有機エレクトロルミネッセンス素子の構成材料の一部として含み説明する場合もある。なお、以下の説明で、各構成要路の後に、括弧内に記載している数字や記号は、各図面に記載されている符号を示す。
【００３７】
以下、本発明の有機ＥＬ照明装置の具体的な構成及びその機構について、図を交えながら詳細に説明する。
【００３８】
《有機ＥＬ照明装置の発光制御方法》
本発明の有機ＥＬ照明装置は、
樹脂基材上に、インプット情報に基づいて調色発光する有機エレクトロルミネッセンス素子を備えた少なくとも一つのフレキシブル面発光体を具備した有機エレクトロルミネッセンス照明装置であって、
（ａ）所定のインプット情報を入力する情報入力部と、
（ｂ）前記調色発光を制御し演出するための演出データを保存しており、かつ前記インプット情報に基づき、当該演出データを選択して電気信号として出力する機能を有する演出データ保存部と、
（ｃ）前記演出データ保存部から出力された演出データの電気信号を入力させる有機エレクトロルミネッセンス素子を選択・制御する信号制御回路部と、
（ｄ）前記信号制御回路部からの電気信号に基づいて前記有機エレクトルミネッセンス素子から発光させる光の少なくとも色相と輝度を制御する有機エレクトロルミネッセンス素子制御回路部とを備え、
上記各手段により、調色発光が可能な構成を有する有機エレクトロルミネッセンス素子の発光を制御して照明することを特徴とする。
【００３９】
図１は、本発明の有機ＥＬ照明装置（１）の発光を制御する方法、詳しくは、単一の調色型有機ＥＬ素子の発光を、インプット情報に従って制御する方法の一例を示すブロック図である。
【００４０】
第１ステップは、調光機能を有する有機ＥＬ素子（ＯＬＥＤ）の発光を演出するインプット情報として、音楽情報（楽曲）の設定や、有機ＥＬ照明装置（１）が設置されている環境の音情報、光情報、温度情報等を、例えば、集音マイク、フォトダイオード等の光検出センサー、あるいは温度検出センサー等の外部情報検出手段（不図示）を介して、情報入力部（２）に入力する。また、音楽情報に関しては、既存のクラシックやジャズ等の楽曲について、その音階に連動して発光を制御するプログラム（タイムコード、ＲＧＢ発光制御）を、予め演出データ保存部（３）であるパーソナルコンピューター（以下、ＰＣと略記する。）内に保存しておく。
【００４１】
演出データ保存部（３）のメモリ部は、例えば、ＤＲＡＭ、ＳＲＡＭ、ＥＰＲＯＭ、ＥＥＰＲＯＭ又はフラッシュメモリ等の半導体メモリによって構成され、有機ＥＬ素子（ＯＬＥＤ）の発光パターンのデータが予め保存されている。
【００４２】
次いで、演出データ保存部（３）を構成するＰＣには、それぞれ情報入力部（２）から入力されるインプット情報に対応して、有機ＥＬ素子（ＯＬＥＤ）の発光条件を時系列的に制御するためのタイムコード、使用する有機ＥＬ素子（ＯＬＥＤ）のチャネル番号の設定情報、ＲＧＢの発光制御情報から構成されている演出データが、所望数保管されている。
【００４３】
入力されたインプット情報に従って、演出データ保存部（３）に保存してある所望の演出データを選択する。選択の方法としては、音楽に関しては、楽曲ごとに保存されている演出データを選択する。また、音情報、光情報、温度情報は、それぞれ検出した情報の物理特性値（音：デシベル、光：光量、温度）をもとに、特性値の範囲ごと（制御該当範囲）に設定した演出データを選択する。
【００４４】
この情報入力部（２）と演出データ保存部（３）は、例えば、同一のパーソナルコンピューター内に設置し、一体管理及び制御してもよい。
【００４５】
次いで、適切なタイミングで、選択した演出データ（タイムコード、使用する有機ＥＬ素子のチャネル、ＲＧＢ制御情報）を、信号制御回路部（４）に電気信号として入力する。
【００４６】
次いで、信号制御回路部（４）が、有機ＥＬ素子制御回路部（５）に対し、有機エレクトルミネッセンス素子を発光させる光の少なくとも色相と輝度を制御するＲＧＢ値を設定する。次いで、フレキシブル面発光体（６）上に具備した調色機能を備えた有機ＥＬ素子（ＯＬＥＤ）に対し、有機ＥＬ素子制御データ（色相と輝度を制御するＲＧＢ値）を送信して、発光を所望の条件で制御する。
【００４７】
本発明の有機ＥＬ照明装置（１）においては、２つ以上のフレキシブル面発光体を並列配置している発光ユニット群を有し、当該２つ以上のフレキシブル面発光体を、それぞれ独立して調色発光制御することができることが好ましい態様である。
【００４８】
図２は、複数個のフレキシブル面発光体を具備した本発明の有機ＥＬ照明装置（１）の発光を制御する方法の一例を示すブロック図である。
【００４９】
図１においては、単一のフレキシブル面発光体が具備している有機ＥＬ素子（ＯＬＥＤ）の発光を制御する方法について説明したが、本発明においては、後述する図７〜図１１に例示するような複数のフレキシブル面発光体を有する有機ＥＬ照明装置（１）が、豊かな表現力を発揮することができる観点から、より好ましい態様である。
【００５０】
図２に示すブロック図は、その基本的な制御方法は、図１と同様であり、フレキシブル面発光体の発光を制御するための音楽情報や外部環境情報等のインプット情報を情報入力部（２）に入力した後、そのインプット情報を演出データ保存部（３）に入力し、選択した演出データ（タイムコード情報、使用する有機ＥＬ素子のチャネル情報、有機ＥＬ素子の色相と輝度等の発光を制御するＲＧＢ情報）を、電気信号として信号制御回路部（４）に送信する。次いで、入力した信号の有機ＥＬ素子チャネル情報に従って、ＯＬＥＤ制御データ（ＲＧＢ発光制御データ）を、該当するチャネルＣＨ（Ａ）〜ＣＨ（Ｚ）のＯＬＥＤ制御回路部（５）に送信し、それぞれのＯＬＥＤ（Ａ）〜ＯＬＥＤ（Ｚ）の有機ＥＬ素子（ＯＬＥＤ）を所定の条件（色相、輝度等）で調色発光させることにより、優美で躍動的なオブジェクトとしての照明の演出性及び装飾性を備えた有機ＥＬ照明装置とすることができる。
【００５１】
《有機ＥＬ素子の構成》
はじめに、本発明の有機ＥＬ照明装置を構成するフレキシブル面発光体及び有機ＥＬ素子の構成について、図を交えて説明する。
【００５２】
本発明に係るフレキシブル面発光体は、樹脂基材上に調色発光が可能な構成を有する有機ＥＬ素子を具備していることを特徴とする。
【００５３】
本発明でいう調色発光が可能な構成を有する有機ＥＬ素子とは、同一の有機ＥＬ素子内に、色相（色温度）や明度（明るさ）をコントロールする機能を備えた有機ＥＬ素子である。例えば、青発光、赤発光、緑発光、マゼンタ発光、シアン発光、イエロー発光、白色発光及びそれぞれの発光色の明度が制御可能であり、それぞれ独立に、青発光層ユニット、赤発光層ユニット、緑発光層ユニットを、縦方向に積層したタンデム構成を有する有機ＥＬ素子が好ましく、それぞれの発光層の発光条件を制御することにより、所望の調色を達成することができる。
【００５４】
以下、本発明に係る有機ＥＬ素子の具体的な構成例について説明する。なお、有機ＥＬ素子を構成する構成材料の詳細について、後述する。
【００５５】
〔調色型有機ＥＬ素子：構成例１〕
図３は、本発明の有機ＥＬ照明装置に適用可能な調色機能を備えたタンデム型の有機ＥＬ素子（ＯＬＥＤ）の一例を示す概略断面図である。
【００５６】
図３において、有機ＥＬ素子（ＯＬＥＤ）は、樹脂基材（Ｆ）上に、青発光層ユニット（ＢＬＵ）、赤発光層ユニット（ＲＬＵ）、緑発光層ユニット（ＧＬＵ）が縦方向に積層されたタンデム構成を形成している。
【００５７】
青発光層群は、青発光層ユニット（ＢＬＵ）が、一対の対向電極であるＢＬＵ用の第１電極（陽極、５１Ｂ）とＢＬＵ用の第２電極（陰極、５４Ｂ）で挟持された構成で、一対の対向電極間に、電圧Ｖ１を印加することにより青色発光する。また、第１電極（陽極、５１Ｂ）には、アース（ＧＲ）が接続されている。
【００５８】
ＢＬＵ用の第２電極（陰極、５４Ｂ）上には、絶縁層（ＳＬ１）を介して、同様の構成で、ＲＬＵ用の第１電極（陽極、５１Ｒ）、赤発光層ユニット（ＲＬＵ）、ＲＬＵ用の第２電極（陰極、５４Ｒ）が積層された赤発光層群が形成され、一対の対向電極間に、電圧Ｖ２を印加することにより赤色発光する。また、第１電極（陽極、５１Ｒ）は、アース（ＧＲ）に接続されている。
【００５９】
同様に、ＲＬＵ用の第２電極（陰極、５４Ｒ）上には、絶縁層（ＳＬ２）を介して、同様の構成で、ＧＬＵ用の第１電極（陽極、５１Ｇ）、緑発光層ユニット（ＧＬＵ）、ＧＬＵ用の第２電極（陰極、５４Ｇ）が積層された赤発光層群が形成され、対向電極間に電圧Ｖ３を印加することにより緑色発光する。また、第１電極（陽極、５１Ｇ）は、アース（ＧＲ）に接続されている。
【００６０】
図３に記載の調色型有機ＥＬ素子（ＯＬＥＤ）においては、第１電極（陽極、５１Ｂ、５１Ｒ、５１Ｇ）と第２電極（陰極、５４Ｂ、５４Ｒ、５４Ｇ）は、すべて光透過性を有する透明電極で構成され、両面より発光光Ｌを取り出す、両面発光型の有機ＥＬ素子の構成例１を示してある。図中、ｈは発光点であり、Ｌは発光光である。
【００６１】
上記図３で示した調色型有機ＥＬ素子（ＯＬＥＤ）では、構成する電極数及び構成層が多く、有機ＥＬ素子を薄膜化するという観点からは、やや問題を抱えている。
【００６２】
〔調色型有機ＥＬ素子：構成例２〕
図４は、本発明の有機ＥＬ照明装置（１）に適用可能な調色機能を備えたタンデム型の有機ＥＬ素子の他の一例（構成例２）を示す概略断面図である。
【００６３】
図３に記載の構成からなる色型有機ＥＬ素子（ＯＬＥＤ）では構成層が多くなり、厚膜化してしまうという問題があり、上記構成例１の問題を解消し、薄膜の有機ＥＬ素子を実現する観点から、本発明に適用する調色機能を備えたタンデム型の有機ＥＬ素子としては、図４に記載する構成からなる調色機能を備えたタンデム型の有機ＥＬ素子が、より好ましい態様である。
【００６４】
図４において、有機ＥＬ素子（ＯＬＥＤ）は、透明基材（Ｆ）上に、第１電極（陽極、５１）、青発光層ユニット（ＢＬＵ）、第１中間電極（Ｍ１）、赤発光層ユニット（ＲＬＵ）、第２中間電極（Ｍ２）、緑発光層ユニット（ＧＬＵ）、第２電極（陰極、５４）を積層した構成である。
【００６５】
図４に示した有機ＥＬ素子（ＯＬＥＤ）においては、第１電極（陽極、５１）と第１中間電極（Ｍ１）間に電圧Ｖ１を印加して、青発光層ユニット（ＢＬＵ）を発光させ、第１中間電極（Ｍ１）と第２中間電極（Ｍ２）間に電圧Ｖ２を印加して赤発光層ユニット（ＲＬＵ）を発光させ、第２中間電極（Ｍ２）と第２電極（陰極、５４）の間に電圧Ｖ３を印加して緑発光層ユニット（ＧＬＵ）を発光させる。
【００６６】
図４で例示した有機ＥＬ素子（ＯＬＥＤ）では、第１電極（陽極、５１）、第１中間電極（Ｍ１）及び第２中間電極（Ｍ２）を透明電極で構成し、第２電極（陰極、５４）を光透過性の低い金属電極透で形成した例であり、光取出し側は、透明基材（Ｆ）側となる。図中、ｈは発光点であり、Ｌは発光光である。
【００６７】
本発明の照明方法では、図２に示したブロック図において、インプット情報により選定した演出データのうち、ＲＧＢ情報（ＯＬＥＤ制御データ）に基づき、ＯＬＥＤ制御回路部（５）を介して、有機ＥＬ素子（ＯＬＥＤ）における上記各印加電圧Ｖ１、Ｖ２及びＶ３を制御することにより、調色発光を可能とすることができる、例えば、印加電圧Ｖ１のみ印加させれば青色発光、印加電圧Ｖ２のみ印加させれば赤色発光、印加電圧Ｖ３のみ印加させれば緑色発光となり、また、印加電圧Ｖ１及び印加電圧Ｖ３を印加すればシアン発光、印加電圧Ｖ１及び印加電圧Ｖ２を印加すればマゼンタ発光、印加電圧Ｖ２及び印加電圧Ｖ３を印加すればイエロー発光、更に、印加電圧Ｖ１、Ｖ２及びＶ３のすべてを印加すれば白色発光を表現することができる。
【００６８】
〔調色型有機ＥＬ素子：構成例３〕
図５は、本発明の有機ＥＬ照明装置に適用可能な調色機能を備えたタンデム型の有機ＥＬ素子の他の一例（構成例３）を示す概略断面図である。
【００６９】
本発明の有機ＥＬ素子においては、光取出し側電極が、銀を主成分とし、厚さが２〜２０ｎｍの範囲内にある透明陽極であることが好ましい態様の一つである。
【００７０】
図５に示す有機ＥＬ素子（ＯＬＥＤ）は、図４に示す構成に対し、第１電極（陽極、５１）、第１中間電極（Ｍ１）及び第２中間電極（Ｍ２）を、透明の薄銀電極で構成した例を示しており、有機ＥＬ素子（ＯＬＥＤ）の薄膜化をよりいっそう達成でき、好ましい。
【００７１】
図５においては、樹脂基材（Ｆ）上に下地層（５２）を形成した後、銀を主成分とする薄銀電極である第１電極（陽極、５１）を形成することが、銀原子の凝集やモトル形成を抑制し、均一性の高い透明電極（陽極）を形成することができる観点から好ましい。
【００７２】
図５においては、第１中間電極（Ｍ１）及び第２中間電極（Ｍ２）についても、透明な薄膜銀電極で構成し、それぞれの下部には、下地層５２が設けられている。銀を主成分とする薄銀電極及び下地層の詳細な構成については後述する。
【００７３】
なお、図３〜図５に例示した有機ＥＬ素子（ＯＬＥＤ）においては、最終的には、第２電極（陰極）の上には、封止用接着剤及び封止部材を積層して、有機ＥＬ素子が作製される。
【００７４】
〔有機ＥＬ素子の発光方向〕
本発明に係るフレキシブル面発光体においては、片面発光型、あるいは両面発光型等、様々な発光面を有する有機ＥＬ素子を用いることができる。
【００７５】
図６Ａ〜図６Ｄは、本発明の有機ＥＬ照明装置に適用可能なフレキシブル面発光体の様々な構成を示す概略断面図である。
【００７６】
図６Ａに示す構成例は、フレキシブル面発光体（６）が片面発光タイプの有機ＥＬ素子（ＯＬＥＤ）を、２枚の樹脂基材（Ｆ）で挟持した構成を有し、有機ＥＬ素子（ＯＬＥＤ）は、配線（７）を介して、外部の電力供給電源（不図示）に接続されている。片面発光タイプの有機ＥＬ素子（ＯＬＥＤ）としては、例えば、前記図４及び図５に示すように、有機ＥＬ素子を構成する電極対の一方の電極、例えば、第２電極（５４）が光不透過性の材料で構成され、他方の第１電極（５１）が透明電極で構成され、第１電極（５１）側から光（Ｌ）を放射するタイプである。
【００７７】
図６Ｂに示す構成例は、フレキシブル面発光体（６）が両面発光タイプの有機ＥＬ素子（ＯＬＥＤ）を、２枚の樹脂基材（Ｆ）で挟持した構成を有し、有機ＥＬ素子（ＯＬＥＤ）は、配線（７）を介して、外部の電力供給電源（不図示）に接続されている。両面発光タイプの有機ＥＬ素子（ＯＬＥＤ）は、例えば、前記図３で示すように、有機ＥＬ素子を構成する電極群の全てが光透過性の透明電極、例えば、薄銀電極で構成され、両面から発光した光（Ｌ）を放射するタイプである。
【００７８】
図６Ｃに示す構成例では、図６Ａに示す構成に、更に電力供給源として薄膜電池（８）を適用した例を示してある。
【００７９】
また、図６Ｄで示すように、有機ＥＬ素子（ＯＬＥＤ）が、単一の樹脂基材（Ｆ）上に形成する構成とすることもできる。
【００８０】
《有機ＥＬ照明装置の実施態様》
〔複数個のフレキシブル面発光体を具備した有機ＥＬ照明装置〕
本発明の有機ＥＬ照明装置においては、長尺の帯状基材上に、２つ以上のフレキシブル面発光体を並列配置している発光ユニット群を有し、当該２つ以上のフレキシブル面発光体を、それぞれ独立して調色発光制御することができる方式であることが好ましい態様である。
【００８１】
図７は、帯状の保持部材上に、複数個のフレキシブル面発光体を並列配置した発光ユニット群の一例を示す模式図である。
【００８２】
図７に示す有機ＥＬ照明装置（１）では、長尺の帯状基材（９）上に、有機ＥＬ素子（ＯＬＥＤ）を具備したフレキシブル面発光体（６）を、長手方向に沿って複数個並列配置して、発光ユニット群を構成している。それぞれのフレキシブル面発光体（６）は、図には示していないが、図２で記載したＯＬＥＤ制御回路（５）と、導線を介して接続されている。
【００８３】
帯状基材（９）にフレキシブル面発光体（６）を接続配置する際、接続を強化するための保護部材を、接続位置に装着してもよい。また、外部からの衝撃に対し、フレキシブル面発光体（６）を保護する目的から、各フレキシブル面発光体（６）の外側に、例えば、透明樹脂等から構成される保護カバーを装着した形態としてもよい。
【００８４】
また、本発明の有機ＥＬ照明装置（１）においては、照明装置として、より豊かな演出性や装飾性を発現する観点から、発光ユニット群を２ユニット以上組み合わせて構成することがより好ましい態様である。
【００８５】
図８は、発光ユニット群を、複数個連結して構成した有機ＥＬ照明装置の一例を示す模式図である。
【００８６】
図８に示す有機ＥＬ照明装置（１）では、長尺の帯状基材（９）上に、有機ＥＬ素子を具備したフレキシブル面発光体（６）を、長手方向に沿って複数個並列配置して構成した発光ユニット群を、３列組居合わせて構成している例を示してある。
【００８７】
発光ユニット群を構成するフレキシブル面発光体（６）の数や、発光ユニット群の列数は特に制限はないが、オブジェとしての照明装置とし、演出性や装飾性を発揮させる観点から、例えば、１５〜４０個の範囲内のフレキシブル面発光体を具備した発光ユニット群を、２〜５列程度組み合わせて配置する構成が好ましい。
【００８８】
また、図８に示すような有機ＥＬ照明装置（１）においては、それぞれの発光ユニット群を、湾曲させながら流線型で安定した形態を維持するようにしてもよい。
【００８９】
〔有機ＥＬ素子の形状〕
本発明の有機ＥＬ照明装置においては、フレキシブル面発光体や、その上に形成する有機ＥＬ素子の形成としては、特に制限はなく、必要に応じて、様々な形状をとることができる。また、本発明に係るフレキシブル面発光体においては、様々な配置で有機ＥＬ素子を設置することができる。
【００９０】
図９に、フレキシブル面発光体上における有機ＥＬ素子の様々な配置パターンの一例を示す。
【００９１】
図９に示すパターンａは、有機ＥＬ照明装置１を構成する１枚のフレキシブル面発光体（６）の全面に、有機ＥＬ素子（ＯＬＥＤ）を配置した例であり、パターンｂは、フレキシブル面発光体（６）の帯状基材（９）の近傍にのみ有機ＥＬ素子（ＯＬＥＤ）を配置した例であり、パターンｃは、フレキシブル面発光体（６）の先端部のみに有機ＥＬ素子（ＯＬＥＤ）を配置した例である。また、パターンｄで示すように、１枚のフレキシブル面発光体（６）上に、種類の異なる有機ＥＬ素子（ＯＬＥＤ）、あるいは同種の有機ＥＬ素子（ＯＬＥＤ）を、複数個並列配置してもよい。
【００９２】
また、パターンｅで示すように、フレキシブル面発光体（６）上に形成する有機ＥＬ素子（ＯＬＥＤ）の形状として、矩形の他に、星形やハード型等の形状を有する有機ＥＬ素子を設けてもよい。
【００９３】
図９に示すように一枚の樹脂基材Ｆ上に、複数の有機ＥＬ素子（ＯＬＥＤ）を配置する場合、一枚の樹脂基材Ｆ上に、それぞれ図４又は図５に示す第１電極（５１）から第２電極（５４）までの構成要素を、所定のパターンで積層する方法であっても、あるいは一枚の樹脂基材上に、例えば、図４又は図５に記載のような樹脂基材（Ｆ）から第２電極（５４）まで有する有機ＥＬ素子を設置した構成であってもよい。
【００９４】
〔有機ＥＬ照明装置の設置方法及び可動方法〕
本発明の有機ＥＬ照明装置は、固定した状態で設置してもよいし、あるいはオブジェとしての躍動感を発揮させる観点から可動機能を具備した構成で設置してもよい。
【００９５】
また、設置した有機ＥＬ照明装置に対し、外部手段から力を与えて動かす形態をとってもよい。
【００９６】
図１０は、本発明の有機ＥＬ照明装置に、可動手段を用いて回転型照明装置とする一例を示す模式図である。
【００９７】
図１０においては、図８で記載した発光ユニット群を複数個連結して構成した有機ＥＬ照明装置（１）を、天井（２５）より吊り下げ部材（２４）を用いて設置し、下部には、送風用ファン（１０）を設置し、駆動モーター（不図示）を用いて吊り下げ部材（２４）を回転させながら、有機ＥＬ照明装置（１）をミラーボールのように回転可動させる方法、あるいは。下部より、送風用ファン（１０）により、有機ＥＬ照明装置（１）に風を当て、例えば、フレキシブル面発光体を形成する樹脂基材が薄膜である場合には、風によりたなびきながら、幻想的に調色発光する雰囲気を醸し出すことができる。
【００９８】
図１１Ａ〜図１１Ｃは、本発明の有機ＥＬ照明装置の設置方法の一例を示した模式図である。
【００９９】
本発明の有機ＥＬ照明装置（１）の設置方法としては、例えば、図１１Ａで示すようなスタンド（２０）に固定した床置方式、図１１Ｂで示すような壁面（２３）に設置する方法、図１１Ｃに示すような天井（２５）より吊り下げ部材（２４）を介して設置する方法等を挙げることができる。
【０１００】
いずれの方法でも、例えば、駆動部（２１）を構成する駆動モーター（２２）の回転軸を左右に往復移動させることにより、装着された有機ＥＬ照明装置（１）が、帯状基材（９）上に設けられた複数の調色発光可能なフレキシブル面発光体（６）を、インプット情報に連動して調色発光させることにより、しなやかに動きを備え、室内のオブジェとしての装飾性、優美性を発現させることができる。
【０１０１】
《有機エレクトロルミネッセンス素子》
次いで、本発明の有機ＥＬ照明装置の主要構成要素であるフレキシブル面発光体上に形成する調色可能な有機ＥＬ素子の詳細について説明する。
【０１０２】
本発明に係るフレキシブル面発光体に具備する有機ＥＬ素子の構成は、図３〜図５に例示したように調色可能な機能を有していることを特徴とし、例えば、樹脂基材及び透明陽極上に、調色可能な複数種の発光層ユニットを有する構成であり、青発光層ユニット（ＢＬＵ）、赤発光層ユニット（ＲＬＵ）、緑発光層ユニット（ＧＬＵ）の各発光層ユニットとしては、例えば、下記（ｉ）〜（ｖ）の構成を、一例として挙げることができる。
【０１０３】
（ｉ）発光層ユニット：発光層／電子輸送層
（ii）発光層ユニット：正孔輸送層／発光層／電子輸送層
（iii）発光層ユニット：正孔輸送層／発光層／正孔阻止層／電子輸送層
（iv）発色層ユニット：正孔輸送層／発光層／正孔阻止層／電子輸送層／陰極バッファー層
（ｖ）発色層ユニット：陽極バッファー層／正孔輸送層／発光層／正孔阻止層／電子輸送層／陰極バッファー層
等を挙げることができる。
【０１０４】
本発明に係る有機ＥＬ素子としては、前記図４で示すように、樹脂基材Ｆ上に配置される陽極が、銀を主成分とし、厚さが２〜２０ｎｍの範囲内にある透明陽極（５１）であることが好ましい態様である。また、銀を主成分とする透明陽極（５１）を形成する際の薄銀層の均一性を高める観点から、図５に示すような下地層（５２）を、樹脂基材（Ｆ）と透明陽極（５１）との間に設けることが好ましい。
【０１０５】
次いで、有機ＥＬ素子の各構成要素について説明する。
【０１０６】
〔樹脂基材〕
本発明の有機ＥＬ素子に適用する樹脂基材としては、例えば、ポリエチレンテレフタレート（略称：ＰＥＴ）、ポリエチレンナフタレート（略称：ＰＥＮ）等のポリエステル、ポリエチレン、ポリプロピレン、セロファン、セルロースジアセテート、セルローストリアセテート（略称：ＴＡＣ）、セルロースアセテートブチレート、セルロースアセテートプロピオネート（略称：ＣＡＰ）、セルロースアセテートフタレート、セルロースナイトレート等のセルロースエステル類及びそれらの誘導体、ポリ塩化ビニリデン、ポリビニルアルコール、ポリエチレンビニルアルコール、シンジオタクティックポリスチレン、ポリカーボネート（略称：ＰＣ）、ノルボルネン樹脂、ポリメチルペンテン、ポリエーテルケトン、ポリイミド、ポリエーテルスルホン（略称：ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリル及びポリアリレート類、アートン（商品名ＪＳＲ社製）及びアペル（商品名三井化学社製）等のシクロオレフィン系樹脂等を挙げることができる。
【０１０７】
これら樹脂基材のうち、コストや入手の容易性の点では、ポリエチレンテレフタレート（略称：ＰＥＴ）、ポリブチレンテレフタレート、ポリエチレンナフタレート（略称：ＰＥＮ）、ポリカーボネート（略称：ＰＣ）等のフィルムがフレキシブルな樹脂基材として好ましく用いられる。
【０１０８】
本発明に係る樹脂基材の厚さは、３〜２００μｍの範囲内であり、好ましくは、３〜１５０μｍの範囲内であり、より好ましくは３〜１００μｍの範囲内であり、特に好ましくは、１０〜８０μｍの範囲内である。
【０１０９】
本発明に係る樹脂基材は、有機ＥＬ素子の封止部材（透明基材）としても好適に用いることもできる。また、上記の樹脂基材は、未延伸フィルムでもよく、延伸フィルムでもよい。
【０１１０】
本発明に適用可能な樹脂基材は、従来公知の一般的な製膜方法により製造することが可能である。例えば、材料となる樹脂を押出機により溶融し、環状ダイやＴダイにより押し出して急冷することにより、実質的に無定形で配向していない未延伸の樹脂基材を製造する溶融流延法や、材料となる樹脂を溶剤に溶解してドープを形成した後、当該ドープを金属ベルト上に流延して製膜する溶液流延法等を用いることができる。また、未延伸の樹脂基材を一軸延伸、テンター式逐次二軸延伸、テンター式同時二軸延伸、チューブラー式同時二軸延伸等の公知の方法により、樹脂基材の搬送方向（縦軸方向、ＭＤ方向）、又は樹脂基材の搬送方向と直角の方向（横軸方向、ＴＤ方向）に延伸することにより、延伸樹脂基材を製造することができる。この場合の延伸倍率は、樹脂基材の原料となる樹脂に合わせて適宜選択することできるが、縦軸方向及び横軸方向にそれぞれ２〜１０倍の範囲内であることが好ましい。
【０１１１】
（陽極：透明陽極）
本発明に係る有機ＥＬ素子を構成する陽極としては、Ａｇ、Ａｕ等の金属又は金属を主成分とする合金、ＣｕＩ、あるいはインジウム−スズの複合酸化物（ＩＴＯ）、ＳｎＯ２及びＺｎＯ等の金属酸化物を挙げることができるが、金属又は金属を主成分とする合金であることが好ましく、更に好ましくは、銀又は銀を主成分とする合金である。
【０１１２】
透明陽極を、銀を主成分として構成する場合、使用する銀材料の純度としては、９９％以上であることが好ましい。また、銀の安定性を確保するためにパラジウム（Ｐｄ）、銅（Ｃｕ）及び金（Ａｕ）等が添加されていてもよい。
【０１１３】
透明陽極は銀を主成分として構成されている層であるが、具体的には、銀単独で形成しても、あるいは銀（Ａｇ）を含有する合金から構成されていてもよい。そのような合金としては、例えば、銀−マグネシウム（Ａｇ−Ｍｇ）、銀−銅（Ａｇ−Ｃｕ）、銀−パラジウム（Ａｇ−Ｐｄ）、銀−パラジウム−銅（Ａｇ−Ｐｄ−Ｃｕ）、銀−インジウム（Ａｇ−Ｉｎ）などが挙げられる。
【０１１４】
上記陽極を構成する各構成材料の中でも、本発明に係る有機ＥＬ素子を構成する陽極としては、銀を主成分として構成し、厚さが２〜２０ｎｍの範囲内にある透明陽極であることが好ましいが、更に好ましくは厚さが４〜１２ｎｍの範囲内である。厚さが２０ｎｍ以下であれば、透明陽極の吸収成分及び反射成分が低く抑えられ、高い光透過率が維持されるため好ましい。
【０１１５】
本発明でいう銀を主成分として構成されている層とは、透明陽極中の銀の含有量が６０質量％以上であることをいい、好ましくは銀の含有量が８０質量％以上であり、より好ましくは銀の含有量が９０質量％以上であり、特に好ましくは銀の含有量が９８質量％以上である。また、本発明に係る透明陽極でいう「透明」とは、波長５５０ｎｍでの光透過率が５０％以上であることをいう。
【０１１６】
本発明に係る透明陽極においては、銀を主成分として構成されている層が、必要に応じて複数の層に分けて積層された構成であっても良い。
【０１１７】
また、本発明においては、陽極が、銀を主成分として構成する透明陽極である場合には、形成する透明陽極の銀膜の均一性を高める観点から、その下部に、下地層を設けることが好ましい。下地層としては、特に制限はないが、窒素原子又は硫黄原子を有する有機化合物を含有する層であることが好ましく、当該下地層上に、透明陽極を形成する方法が好ましい態様である。
【０１１８】
一般に、透明導電膜である透明陽極の形成方法としては、例えば、塗布法、インクジェット法、コーティング法、ディップ法などのウェットプロセスを用いる方法や、蒸着法（抵抗加熱、ＥＢ法など）、スパッタ法、ＣＶＤ法などのドライプロセスを用いる方法などが挙げられるが、本発明の有機ＥＬ素子の製造方法においては、本発明に係る透明陽極を蒸着法により形成することが好ましい。
【０１１９】
本発明に適用可能な蒸着法としては、主には、真空蒸着法が用いられ、真空蒸着装置内の蒸着用の抵抗加熱ボートに、透明陽極の構成材料である銀や、必要に応じてその他の合金を充填する。この蒸着用の抵抗加熱ボートは、モリブデン製又はタングステン製材料で作製されたものが用いられている。透明陽極形成時には、真空蒸着装置内の真空度を、例えば、１×１０−２〜１×１０−６Ｐａの範囲内まで減圧した後、銀等の透明陽極形成用材料の入った上記蒸着用の抵抗加熱ボートに通電して加熱し、所定の蒸着速度（ｎｍ／秒）で、樹脂基材上あるいは下地層上に、銀薄膜を蒸着して、厚さ２〜２０ｎｍの範囲内にある透明陽極を形成する。
【０１２０】
また、透明陽極は、下地層上に形成されることにより、形成後の高温アニール処理（例えば、１５０℃以上の加熱プロセス）等がなくても十分に導電性を有することができる。
【０１２１】
（下地層）
本発明に係る有機ＥＬ素子においては、陽極が銀を主成分として構成する透明陽極である場合には、透明陽極の樹脂基材側に隣接した位置に、下地層を設けることができ、好ましくは、少なくとも窒素原子又は硫黄原子を有する有機化合物を含有する下地層を有することが好ましい態様であり、更には、下地層が含有する有機化合物が、芳香族性に関与しない有効非共有電子対を持つ窒素原子を有する化合物であることが好ましい。
【０１２２】
本発明においては、銀を主成分とする透明陽極する際に、その下部に窒素原子又は硫黄原子を有する有機化合物を含有する下地層を設けることにより、透明陽極を形成する際に、銀原子と、下地層が含有している有機化合物の窒素原子あるいは硫黄原子とが相互作用し、その結果、銀原子の下地層表面上における拡散距離が減少し、銀の凝集体の生成を抑制することができ、高い均一性を有する透明陽極を形成することができる。
【０１２３】
本発明においては、少なくとも窒素原子又は硫黄原子を有する有機化合物としては、特に制限はないが、例えば、国際公開第２０１３／１０５５６９号、国際公開第２０１３／１４１０９７号、国際公開第２０１３／１６１７５０号に記載の化合物を挙げることができる。
【０１２４】
〔中間電極〕
本発明に係る有機ＥＬ素子においては、陽極（第１電極）と陰極（第２電極）との間に、発色色相の異なる発光層ユニットを、図４又は図５で示したような構成で積層する場合、発光層ユニット間に、電気的接続を得るための独立した接続端子を有する中間電極（Ｍ１、Ｍ２）を設ける構成とすることが好ましい態様である。
【０１２５】
〔発色層ユニット〕
次いで、発色層ユニット（以下、有機機能層ユニットともいう。）を構成する代表的な層として、電荷注入層、発光層、正孔輸送層、電子輸送層及び阻止層の順に説明する。
【０１２６】
（電荷注入層）
本発明に係る電荷注入層は、駆動電圧低下や発光輝度向上のために、電極と発光層の間に設けられる層のことで、「有機ＥＬ素子とその工業化最前線（１９９８年１１月３０日エヌ・ティー・エス社発行）」の第２編第２章「電極材料」（１２３〜１６６頁）（以下、参考資料１と称す。）にその詳細が記載されており、正孔注入層と電子注入層とがある。
【０１２７】
電荷注入層としては、一般には、正孔注入層であれば、陽極と発光層又は正孔輸送層との間、電子注入層であれば陰極と発光層又は電子輸送層との間に存在させることができるが、本発明においては、透明電極に隣接して電荷注入層を配置させることを特徴とする。また、中間電極で用いられる場合は、隣接する電子注入層及び正孔注入層の少なくとも一方が、本発明の要件を満たしていれば良い。
【０１２８】
本発明に係る正孔注入層は、駆動電圧低下や発光輝度向上のために、透明電極である陽極に隣接して配置される層であり、上記参考資料１にその詳細が記載されている。
【０１２９】
正孔注入層は、特開平９−４５４７９号公報、同９−２６００６２号公報、同８−２８８０６９号公報等にもその詳細が記載されており、正孔注入層に用いられる材料としては、例えば、ポルフィリン誘導体、フタロシアニン誘導体、オキサゾール誘導体、オキサジアゾール誘導体、トリアゾール誘導体、イミダゾール誘導体、ピラゾリン誘導体、ピラゾロン誘導体、フェニレンジアミン誘導体、ヒドラゾン誘導体、スチルベン誘導体、ポリアリールアルカン誘導体、トリアリールアミン誘導体、カルバゾール誘導体、インドロカルバゾール誘導体、イソインドール誘導体、アントラセンやナフタレン等のアセン系誘導体、フルオレン誘導体、フルオレノン誘導体、及びポリビニルカルバゾール、芳香族アミンを主鎖又は側鎖に導入した高分子材料又はオリゴマー、ポリシラン、導電性ポリマー又はオリゴマー（例えば、ＰＥＤＯＴ（ポリエチレンジオキシチオフェン）：ＰＳＳ（ポリスチレンスルホン酸）、アニリン系共重合体、ポリアニリン、ポリチオフェン等）等が挙げられる。
【０１３０】
トリアリールアミン誘導体としては、α−ＮＰＤ（４，４′−ビス〔Ｎ−（１−ナフチル）−Ｎ−フェニルアミノ〕ビフェニル）に代表されるベンジジン型や、ＭＴＤＡＴＡ（４，４′，４″−トリス〔Ｎ−（３−メチルフェニル）−Ｎ−フェニルアミノ〕トリフェニルアミン）に代表されるスターバースト型、トリアリールアミン連結コア部にフルオレンやアントラセンを有する化合物等が挙げられる。
【０１３１】
また、特表２００３−５１９４３２号公報や特開２００６−１３５１４５号公報等に記載されているようなヘキサアザトリフェニレン誘導体も同様に正孔輸送材料として用いることができる。
【０１３２】
電子注入層は、駆動電圧低下や発光輝度向上のために、陰極と発光層との間に設けられる層のことであり、陰極が本発明に係る透明電極で構成されている場合には、当該透明電極に隣接して設けられ、上記参考資料１にその詳細が記載されている。
【０１３３】
電子注入層は、特開平６−３２５８７１号公報、同９−１７５７４号公報、同１０−７４５８６号公報等にもその詳細が記載されており、電子注入層に好ましく用いられる材料の具体例としては、ストロンチウムやアルミニウム等に代表される金属、フッ化リチウム、フッ化ナトリウム、フッ化カリウム等に代表されるアルカリ金属化合物、フッ化マグネシウム、フッ化カルシウム等に代表されるアルカリ金属ハライド層、フッ化マグネシウムに代表されるアルカリ土類金属化合物層、酸化モリブデン、酸化アルミニウム等に代表される金属酸化物、リチウム８−ヒドロキシキノレート（Ｌｉｑ）等に代表される金属錯体等が挙げられる。また、本発明における透明電極が陰極の場合は、金属錯体等の有機材料が特に好適に用いられる。電子注入層はごく薄い膜であることが望ましく、構成材料にもよるが、その層厚は１ｎｍ〜１０μｍの範囲内が好ましい。
【０１３４】
（発光層）
本発明に係る有機ＥＬ素子の各色の発光層ユニットを構成する発光層は、発光材料としてリン光発光化合物が含有されている構成が好ましい。
【０１３５】
この発光層は、電極又は電子輸送層から注入された電子と、正孔輸送層から注入された正孔とが再結合して発光する層であり、発光する部分は発光層の層内であっても発光層と隣接する層との界面であってもよい。
【０１３６】
このような発光層としては、含まれる発光材料が発光要件を満たしていれば、その構成には特に制限はない。また、同一の発光スペクトルや発光極大波長を有する層が複数層あってもよい。この場合、各発光層間には非発光性の中間層を有していることが好ましい。
【０１３７】
発光層の厚さの総和は、１〜１００ｎｍの範囲内にあることが好ましく、より低い駆動電圧を得ることができることから１〜３０ｎｍの範囲内がさらに好ましい。なお、発光層の厚さの総和とは、発光層間に非発光性の中間層が存在する場合には、当該中間層も含む厚さである。
【０１３８】
本発明においては、調色機能を発現する観点から、三つの発光層ユニットを積層した構成であることが好まし態様であり、個々の発光層の厚さとしては、それぞれ１〜５０ｎｍの範囲内に調整することが好ましく、さらに好ましくは１〜２０ｎｍの範囲内に調整することがより好ましい。積層された複数の発光層が、青、緑及び赤のそれぞれの発光色に対応する場合は、青、緑及び赤の各発光層の厚さの関係について特に制限されない。
【０１３９】
以上のような発光層は、後述する発光材料やホスト化合物を、例えば、真空蒸着法、スピンコート法、キャスト法、ＬＢ法（ラングミュア・ブロジェット、Ｌａｎｇｍｕｉｒ  Ｂｌｏｄｇｅｔｔ法）及びインクジェット法等の公知の方法により形成することができる。
【０１４０】
また発光層は、複数の発光材料を混合してもよく、リン光発光材料と蛍光発光材料（蛍光ドーパント、蛍光性化合物ともいう）とを同一発光層中に混合して用いてもよい。発光層の構成としては、ホスト化合物（発光ホスト等ともいう）及び発光材料（発光ドーパント化合物ともいう。）を含有し、発光材料より発光させることが好ましい。
【０１４１】
〈ホスト化合物〉
発光層に含有されるホスト化合物としては、室温（２５℃）におけるリン光発光のリン光量子収率が０．１未満の化合物が好ましい。さらにリン光量子収率が０．０１未満であることが好ましい。また、発光層に含有される化合物の中で、その層中での体積比が５０％以上であることが好ましい。
【０１４２】
ホスト化合物としては、公知のホスト化合物を単独で用いてもよく、あるいは、複数種のホスト化合物を用いてもよい。ホスト化合物を複数種用いることで、電荷の移動を調整することが可能であり、有機電界発光素子を高効率化することができる。また、後述する発光材料を複数種用いることで、異なる発光を混ぜることが可能となり、これにより任意の発光色を得ることができる。
【０１４３】
発光層に用いられるホスト化合物としては、従来公知の低分子化合物でも、繰り返し単位をもつ高分子化合物でもよく、ビニル基やエポキシ基のような重合性基を有する低分子化合物（蒸着重合性発光ホスト）でもよい。
【０１４４】
本発明に適用可能なホスト化合物としては、例えば、特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報、米国特許出願公開第２００３／０１７５５５３号明細書、米国特許出願公開第２００６／０２８０９６５号明細書、米国特許出願公開第２００５／０１１２４０７号明細書、米国特許出願公開第２００９／００１７３３０号明細書、米国特許出願公開第２００９／００３０２０２号明細書、米国特許出願公開第２００５／２３８９１９号明細書、国際公開第２００１／０３９２３４号、国際公開第２００９／０２１１２６号、国際公開第２００８／０５６７４６号、国際公開第２００４／０９３２０７号、国際公開第２００５／０８９０２５号、国際公開第２００７／０６３７９６号、国際公開第２００７／０６３７５４号、国際公開第２００４／１０７８２２号、国際公開第２００５／０３０９００号、国際公開第２００６／１１４９６６号、国際公開第２００９／０８６０２８号、国際公開第２００９／００３８９８号、国際公開第２０１２／０２３９４７号、特開２００８−０７４９３９号公報、特開２００７−２５４２９７号公報、欧州特許第２０３４５３８号明細書等に記載されている化合物を挙げることができる。
【０１４５】
〈発光材料〉
本発明で用いることのできる発光材料としては、リン光発光性化合物（リン光性化合物、リン光発光材料又はリン光発光ドーパントともいう。）及び蛍光発光性化合物（蛍光性化合物又は蛍光発光材料ともいう。）が挙げられる。
【０１４６】
〈リン光発光性化合物〉
リン光発光性化合物とは、励起三重項からの発光が観測される化合物であり、具体的には室温（２５℃）にてリン光発光する化合物であり、リン光量子収率が２５℃において０．０１以上の化合物であると定義されるが、好ましいリン光量子収率は０．１以上である。
【０１４７】
上記リン光量子収率は、第４版実験化学講座７の分光IIの３９８頁（１９９２年版、丸善）に記載の方法により測定できる。溶液中でのリン光量子収率は、種々の溶媒を用いて測定できるが、本発明においてリン光発光性化合物を用いる場合、任意の溶媒のいずれかにおいて、上記リン光量子収率として０．０１以上が達成されればよい。
【０１４８】
リン光発光性化合物は、一般的な有機ＥＬ素子の発光層に使用される公知のものの中から適宜選択して用いることができるが、好ましくは元素の周期表で８〜１０族の金属を含有する錯体系化合物であり、さらに好ましくはイリジウム化合物、オスミウム化合物、白金化合物（白金錯体系化合物）又は希土類錯体であり、中でも最も好ましいのはイリジウム化合物である。
【０１４９】
本発明においては、少なくとも一つの発光層が、二種以上のリン光発光性化合物が含有されていてもよく、発光層におけるリン光発光性化合物の濃度比が発光層の厚さ方向で変化している態様であってもよい。
【０１５０】
本発明に使用できる公知のリン光発光性化合物の具体例としては、以下の文献に記載されている化合物等が挙げられる。
【０１５１】
Ｎａｔｕｒｅ  ３９５，１５１（１９９８）、Ａｐｐｌ．Ｐｈｙｓ．Ｌｅｔｔ．７８，１６２２（２００１）、Ａｄｖ．Ｍａｔｅｒ．１９，７３９（２００７）、Ｃｈｅｍ．Ｍａｔｅｒ．１７，３５３２（２００５）、Ａｄｖ．Ｍａｔｅｒ．１７，１０５９（２００５）、国際公開第２００９／１００９９１号、国際公開第２００８／１０１８４２号、国際公開第２００３／０４０２５７号、米国特許出願公開第２００６／８３５４６９号明細書、米国特許出願公開第２００６／０２０２１９４号明細書、米国特許出願公開第２００７／００８７３２１号明細書、米国特許出願公開第２００５／０２４４６７３号明細書等に記載の化合物を挙げることができる。
【０１５２】
また、Ｉｎｏｒｇ．Ｃｈｅｍ．４０，１７０４（２００１）、Ｃｈｅｍ．Ｍａｔｅｒ．１６，２４８０（２００４）、Ａｄｖ．Ｍａｔｅｒ．１６，２００３（２００４）、Ａｎｇｅｗ．Ｃｈｅｍ．ｌｎｔ．Ｅｄ．２００６，４５，７８００、Ａｐｐｌ．Ｐｈｙｓ．Ｌｅｔｔ．８６，１５３５０５（２００５）、Ｃｈｅｍ．Ｌｅｔｔ．３４，５９２（２００５）、Ｃｈｅｍ．Ｃｏｍｍｕｎ．２９０６（２００５）、Ｉｎｏｒｇ．Ｃｈｅｍ．４２，１２４８（２００３）、国際公開第２００９／０５０２９０号、国際公開第２００２／０１５６４５号、国際公開第２００９／０００６７３号、米国特許出願公開第２００２／００３４６５６号明細書、米国特許第７３３２２３２号明細書、米国特許出願公開第２００９／０１０８７３７号明細書、米国特許出願公開第２００９／００３９７７６号、米国特許第６９２１９１５号、米国特許第６６８７２６６号明細書、米国特許出願公開第２００７／０１９０３５９号明細書、米国特許出願公開第２００６／０００８６７０号明細書、米国特許出願公開第２００９／０１６５８４６号明細書、米国特許出願公開第２００８／００１５３５５号明細書、米国特許第７２５０２２６号明細書、米国特許第７３９６５９８号明細書、米国特許出願公開第２００６／０２６３６３５号明細書、米国特許出願公開第２００３／０１３８６５７号明細書、米国特許出願公開第２００３／０１５２８０２号明細書、米国特許第７０９０９２８号明細書等に記載の化合物を挙げることができる。
【０１５３】
また、Ａｎｇｅｗ．Ｃｈｅｍ．ｌｎｔ．Ｅｄ．４７，１（２００８）、Ｃｈｅｍ．Ｍａｔｅｒ．１８，５１１９（２００６）、Ｉｎｏｒｇ．Ｃｈｅｍ．４６，４３０８（２００７）、Ｏｒｇａｎｏｍｅｔａｌｌｉｃｓ  ２３，３７４５（２００４）、Ａｐｐｌ．Ｐｈｙｓ．Ｌｅｔｔ．７４，１３６１（１９９９）、国際公開第２００２／００２７１４号、国際公開第２００６／００９０２４号、国際公開第２００６／０５６４１８号、国際公開第２００５／０１９３７３号、国際公開第２００５／１２３８７３号、国際公開第２００５／１２３８７３号、国際公開第２００７／００４３８０号、国際公開第２００６／０８２７４２号、米国特許出願公開第２００６／０２５１９２３号明細書、米国特許出願公開第２００５／０２６０４４１号明細書、米国特許第７３９３５９９号明細書、米国特許第７５３４５０５号明細書、米国特許第７４４５８５５号明細書、米国特許出願公開第２００７／０１９０３５９号明細書、米国特許出願公開第２００８／０２９７０３３号明細書、米国特許第７３３８７２２号明細書、米国特許出願公開第２００２／０１３４９８４号明細書、米国特許第７２７９７０４号明細書、米国特許出願公開第２００６／０９８１２０号明細書、米国特許出願公開第２００６／１０３８７４号明細書等に記載の化合物も挙げることができる。
【０１５４】
さらには、国際公開第２００５／０７６３８０号、国際公開第２０１０／０３２６６３号、国際公開第２００８／１４０１１５号、国際公開第２００７／０５２４３１号、国際公開第２０１１／１３４０１３号、国際公開第２０１１／１５７３３９号、国際公開第２０１０／０８６０８９号、国際公開第２００９／１１３６４６号、国際公開第２０１２／０２０３２７号、国際公開第２０１１／０５１４０４号、国際公開第２０１１／００４６３９号、国際公開第２０１１／０７３１４９号、特開２０１２−０６９７３７号公報、特開２００９−１１４０８６号公報、特開２００３−８１９８８号公報、特開２００２−３０２６７１号公報、特開２００２−３６３５５２号公報等に記載の化合物も挙げることができる。
【０１５５】
本発明においては、好ましいリン光発光性化合物としてはＩｒを中心金属に有する有機金属錯体が挙げられる。さらに好ましくは、金属−炭素結合、金属−窒素結合、金属−酸素結合、金属−硫黄結合の少なくとも１つの配位様式を含む錯体が好ましい。
【０１５６】
上記説明したリン光発光性化合物（リン光発光性金属錯体ともいう）は、例えば、Ｏｒｇａｎｉｃ  Ｌｅｔｔｅｒ誌、ｖｏｌ３、Ｎｏ．１６、２５７９〜２５８１頁（２００１）、Ｉｎｏｒｇａｎｉｃ  Ｃｈｅｍｉｓｔｒｙ，第３０巻、第８号、１６８５〜１６８７頁（１９９１年）、Ｊ．Ａｍ．Ｃｈｅｍ．Ｓｏｃ．，１２３巻、４３０４頁（２００１年）、Ｉｎｏｒｇａｎｉｃ  Ｃｈｅｍｉｓｔｒｙ，第４０巻、第７号、１７０４〜１７１１頁（２００１年）、Ｉｎｏｒｇａｎｉｃ  Ｃｈｅｍｉｓｔｒｙ，第４１巻、第１２号、３０５５〜３０６６頁（２００２年）、Ｎｅｗ  Ｊｏｕｒｎａｌ  ｏｆ  Ｃｈｅｍｉｓｔｒｙ．，第２６巻、１１７１頁（２００２年）、Ｅｕｒｏｐｅａｎ  Ｊｏｕｒｎａｌ  ｏｆ  Ｏｒｇａｎｉｃ  Ｃｈｅｍｉｓｔｒｙ，第４巻、６９５〜７０９頁（２００４年）、さらにこれらの文献中に記載されている参考文献等に開示されている方法を適用することにより合成することができる。
【０１５７】
〈蛍光発光性化合物〉
蛍光発光性化合物としては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素又は希土類錯体系蛍光体等が挙げられる。
【０１５８】
（正孔輸送層）
正孔輸送層とは正孔を輸送する機能を有する正孔輸送材料からなり、広い意味で正孔注入層及び電子阻止層も正孔輸送層の機能を有する。正孔輸送層は単層又は複数層設けることができる。
【０１５９】
正孔輸送材料としては、正孔の注入又は輸送、電子の障壁性のいずれかを有するものであり、有機物、無機物のいずれであってもよい。例えば、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、導電性高分子オリゴマー及びチオフェンオリゴマー等が挙げられる。
【０１６０】
正孔輸送材料としては、上記のものを使用することができるが、ポルフィリン化合物、芳香族第３級アミン化合物及びスチリルアミン化合物を用いることができ、特に芳香族第３級アミン化合物を用いることが好ましい。
【０１６１】
芳香族第３級アミン化合物及びスチリルアミン化合物の代表例としては、Ｎ，Ｎ，Ｎ′，Ｎ′−テトラフェニル−４，４′−ジアミノフェニル、Ｎ，Ｎ′−ジフェニル−Ｎ，Ｎ′−ビス（３−メチルフェニル）−〔１，１′−ビフェニル〕−４，４′−ジアミン（略称：ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ′，Ｎ′−テトラ−ｐ−トリル−４，４′−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ′−ジフェニル−Ｎ，Ｎ′−ジ（４−メトキシフェニル）−４，４′−ジアミノビフェニル、Ｎ，Ｎ，Ｎ′，Ｎ′−テトラフェニル−４，４′−ジアミノジフェニルエーテル、４，４′−ビス（ジフェニルアミノ）クオードリフェニル、Ｎ，Ｎ，Ｎ−トリ（ｐ−トリル）アミン、４−（ジ−ｐ−トリルアミノ）−４′−〔４−（ジ−ｐ−トリルアミノ）スチリル〕スチルベン、４−Ｎ，Ｎ−ジフェニルアミノ−（２−ジフェニルビニル）ベンゼン、３−メトキシ−４′−Ｎ，Ｎ−ジフェニルアミノスチルベンゼン及びＮ−フェニルカルバゾール等が挙げられる。
【０１６２】
正孔輸送層は、上記正孔輸送材料を、例えば、真空蒸着法、スピンコート法、キャスト法、インクジェット法を含む印刷法及びＬＢ法（ラングミュア・ブロジェット、Ｌａｎｇｍｕｉｒ  Ｂｌｏｄｇｅｔｔ法）等の公知の方法により、薄膜化することにより形成することができる。正孔輸送層の層厚については特に制限はないが、通常は５ｎｍ〜５μｍ程度、好ましくは５〜２００ｎｍの範囲である。この正孔輸送層は、上記材料の一種又は二種以上からなる一層構造であってもよい。
【０１６３】
また、正孔輸送層の材料に不純物をドープすることにより、ｐ性を高くすることもできる。その例としては、特開平４−２９７０７６号公報、特開２０００−１９６１４０号公報、同２００１−１０２１７５号公報及びＪ．Ａｐｐｌ．Ｐｈｙｓ．，９５，５７７３（２００４）等に記載されたものが挙げられる。
【０１６４】
このように、正孔輸送層のｐ性を高くすると、より低消費電力の素子を作製することができるため好ましい。
【０１６５】
（電子輸送層）
電子輸送層は、電子を輸送する機能を有する材料から構成され、広い意味で電子注入層、正孔阻止層も電子輸送層に含まれる。電子輸送層は、単層構造又は複数層の積層構造として設けることができる。
【０１６６】
単層構造の電子輸送層及び積層構造の電子輸送層において、発光層に隣接する層部分を構成する電子輸送材料（正孔阻止材料を兼ねる）としては、カソードより注入された電子を発光層に伝達する機能を有していれば良い。このような材料としては、従来公知の化合物の中から任意のものを選択して用いることができる。例えば、ニトロ置換フルオレン誘導体、ジフェニルキノン誘導体、チオピランジオキシド誘導体、カルボジイミド、フレオレニリデンメタン誘導体、アントラキノジメタン、アントロン誘導体及びオキサジアゾール誘導体等が挙げられる。さらに、上記オキサジアゾール誘導体において、オキサジアゾール環の酸素原子を硫黄原子に置換したチアジアゾール誘導体、電子吸引基として知られているキノキサリン環を有するキノキサリン誘導体も、電子輸送層の材料として用いることができる。さらにこれらの材料を高分子鎖に導入した高分子材料又はこれらの材料を高分子の主鎖とした高分子材料を用いることもできる。
【０１６７】
また、８−キノリノール誘導体の金属錯体、例えば、トリス（８−キノリノール）アルミニウム（略称：Ａｌｑ３）、トリス（５，７−ジクロロ−８−キノリノール）アルミニウム、トリス（５，７−ジブロモ−８−キノリノール）アルミニウム、トリス（２−メチル−８−キノリノール）アルミニウム、トリス（５−メチル−８−キノリノール）アルミニウム、ビス（８−キノリノール）亜鉛（略称：Ｚｎｑ）等及びこれらの金属錯体の中心金属がＩｎ、Ｍｇ、Ｃｕ、Ｃａ、Ｓｎ、Ｇａ又はＰｂに置き替わった金属錯体も、電子輸送層の材料として用いることができる。
【０１６８】
電子輸送層は、上記材料を、例えば、真空蒸着法、スピンコート法、キャスト法、インクジェット法を含む印刷法及びＬＢ法等の公知の方法により、薄膜化することで形成することができる。電子輸送層の層厚については特に制限はないが、通常は５ｎｍ〜５μｍ程度、好ましくは５〜２００ｎｍの範囲内である。電子輸送層は上記材料の一種又は二種以上からなる単一構造であってもよい。
【０１６９】
（阻止層）
阻止層としては、正孔阻止層及び電子阻止層が挙げられ、上記説明した有機機能層ユニット３の各構成層の他に、必要に応じて設けられる層である。例えば、特開平１１−２０４２５８号公報、同１１−２０４３５９号公報、及び「有機ＥＬ素子とその工業化最前線（１９９８年１１月３０日エヌ・ティー・エス社発行）」の２３７頁等に記載されている正孔阻止（ホールブロック）層等を挙げることができる。
【０１７０】
正孔阻止層とは、広い意味では、電子輸送層の機能を有する。正孔阻止層は、電子を輸送する機能を有しつつ正孔を輸送する能力が著しく小さい正孔阻止材料からなり、電子を輸送しつつ正孔を阻止することで電子と正孔の再結合確率を向上させることができる。また、電子輸送層の構成を必要に応じて、正孔阻止層として用いることができる。正孔阻止層は、発光層に隣接して設けられていることが好ましい。
【０１７１】
一方、電子阻止層とは、広い意味では、正孔輸送層の機能を有する。電子阻止層は、正孔を輸送する機能を有しつつ、電子を輸送する能力が著しく小さい材料からなり、正孔を輸送しつつ電子を阻止することで電子と正孔の再結合確率を向上させることができる。また、正孔輸送層の構成を必要に応じて電子阻止層として用いることができる。本発明に適用する正孔阻止層の層厚としては、好ましくは３〜１００ｎｍの範囲であり、さらに好ましくは５〜３０ｎｍの範囲である。
【０１７２】
〔陰極：第２電極〕
陰極（第２電極）は、発光層ユニットに正孔を供給するために機能する電極膜であり、金属、合金、有機又は無機の導電性化合物若しくはこれらの混合物が用いられる。具体的には、金、アルミニウム、銀、マグネシウム、リチウム、マグネシウム／銅混合物、マグネシウム／銀混合物、マグネシウム／アルミニウム混合物、マグネシウム／インジウム混合物、インジウム、リチウム／アルミニウム混合物、希土類金属、ＩＴＯ、ＺｎＯ、ＴｉＯ２及びＳｎＯ２等の酸化物半導体などが挙げられる。
【０１７３】
第２電極は、これらの導電性材料を蒸着やスパッタリング等の方法により薄膜を形成させて作製することができる。また、第２電極としてのシート抵抗は、数百Ω／□以下が好ましく、膜厚は通常５ｎｍ〜５μｍ、好ましくは５〜２００ｎｍの範囲で選ばれる。
【０１７４】
なお、有機ＥＬ素子が、例えば、図６Ｂで例示するように、第２電極側からも発光光Ｌを取り出す、両面発光型の場合には、光透過性の高い第２電極、例えば、第１電極の構成材料等を選択して構成すればよい。
【０１７５】
〔封止部材〕
本発明に係る有機ＥＬ素子を封止するのに用いられる封止手段としては、例えば、封止部材と、第２電極６及び透明基材Ｆとを接着剤で接着する方法を挙げることができる。
【０１７６】
封止部材としては、有機ＥＬ素子の表示領域を覆うように配置されていればよく、凹板状でも、平板状でもよい。また透明性及び電気絶縁性は特に限定されない。
【０１７７】
具体的には、ガラス板、ポリマー板、フィルム、金属板、フィルム等が挙げられる。ガラス板としては、特にソーダ石灰ガラス、バリウム・ストロンチウム含有ガラス、鉛ガラス、アルミノケイ酸ガラス、ホウケイ酸ガラス、バリウムホウケイ酸ガラス、石英等を挙げることができる。また、ポリマー板としては、ポリカーボネート、アクリル、ポリエチレンテレフタレート、ポリエーテルサルファイド、ポリサルフォン等を挙げることができる。金属板としては、ステンレス、鉄、銅、アルミニウム、マグネシウム、ニッケル、亜鉛、クロム、チタン、モリブテン、シリコン、ゲルマニウム及びタンタルからなる群から選ばれる一種以上の金属又は合金が挙げられる。
【０１７８】
封止部材としては、有機ＥＬ素子を薄膜化することできる観点から、ポリマーフィルム及び金属フィルムを好ましく使用することができる。さらに、ポリマーフィルムは、ＪＩＳ  Ｋ  ７１２９−１９９２に準拠した方法で測定された温度２５±０．５℃、相対湿度９０±２％ＲＨにおける水蒸気透過度が、１×１０−３ｇ／ｍ２・２４ｈ以下であることが好ましく、さらには、ＪＩＳ  Ｋ  ７１２６−１９８７に準拠した方法で測定された酸素透過度が、１×１０−３ｍｌ／ｍ２・２４ｈ・ａｔｍ（１ａｔｍは、１．０１３２５×１０５Ｐａである）以下であって、温度２５±０．５℃、相対湿度９０±２％ＲＨにおける水蒸気透過度が、１×１０−３ｇ／ｍ２・２４ｈ以下であることが好ましい。
【０１７９】
また、発光層ユニットを挟み、透明基材と対向する側の第２電極の外側に、第２電極と発光層ユニットを被覆し、透明基材と接する形で無機物又は有機物の層を形成して封止膜とすることも好適にできる。この場合、封止膜を形成する材料としては、有機ＥＬ素子を劣化させる水分や酸素等の浸入を抑制する機能を有する材料であればよく、例えば、酸化ケイ素、二酸化ケイ素及び窒化ケイ素等を用いることができる。さらに、封止膜の脆弱性を改良するためにこれら無機層と有機材料からなる有機層の積層構造をもたせることが好ましい。これらの膜の形成方法については、特に限定はなく、例えば、真空蒸着法、スパッタリング法、反応性スパッタリング法、分子線エピタキシー法、クラスターイオンビーム法、イオンプレーティング法、プラズマ重合法、大気圧プラズマ重合法、プラズマＣＶＤ法、レーザーＣＶＤ法、熱ＣＶＤ法及びコーティング法等を用いることができる。
【０１８０】
封止部材と有機ＥＬ素子の表示領域との間隙には、気相及び液相では窒素、アルゴン等の不活性気体やフッ化炭化水素、シリコンオイルのような不活性液体を注入することが好ましい。また、封止部材と有機ＥＬ素子の表示領域との間隙を真空とすることや、間隙に吸湿性化合物を封入することもできる。
【産業上の利用可能性】
【０１８１】
本発明の有機エレクトロルミネッセンス照明装置は、自然で、しなやかな動きが可能な、調色発光が可能な有機エレクトロルミネッセンス素子を具備したフレキシブル面発光体の発光を、様々なインプット情報（例えば、音声情報、光情報、温度情報等）を入力し、その入力情報に連動してその発光条件を制御することを特徴とし、優美なオブジェクトとしての照明の演出性及び装飾性を備えた照明装置を提供することができる。
【符号の説明】
【０１８２】
１  有機ＥＬ照明装置
２  インプット情報
３  演出データ保存部
４  信号制御回路部
５  有機ＥＬ素子制御回路部、ＯＬＥＤ制御回路部
６  フレキシブル面発光体
７  導線
８  薄膜電池
９  帯状基材
１０  送風ファン
２０  スタンド
２１  駆動部
２２  駆動モーター
２３  壁面
２４  吊り下げ部材
２５  天井
５１、５１Ｂ、５１Ｒ、５１Ｇ  第１電極（陽極、透明電極）
５４、５４Ｂ、５４Ｒ、５４Ｇ  第２電極（陰極）
ＯＬＥＤ  有機ＥＬ素子
ＢＬＵ  青発光層ユニット
ＲＬＵ  赤発光層ユニット
ＧＬＵ  緑発光層ユニット
Ｆ  樹脂基材
ｈ  発光点
Ｌ  発光光
Ｍ１  第１中間電極
Ｍ２  第２中間電極
ＳＬ１、ＳＬ２  絶縁層
Ｖ１、Ｖ２、Ｖ３  駆動電圧
【図１】
2015118932.tif 000003
【図２】
2015118932.tif 000004
【図３】
2015118932.tif 000005
【図４】
2015118932.tif 000006
【図５】
2015118932.tif 000007
【図６Ａ】
2015118932.tif 000008
【図６Ｂ】
2015118932.tif 000009
【図６Ｃ】
2015118932.tif 000010
【図６Ｄ】
2015118932.tif 000011
【図７】
2015118932.tif 000012
【図８】
2015118932.tif 000013
【図９】
2015118932.tif 000014
【図１０】
2015118932.tif 000015
【図１１Ａ】
2015118932.tif 000016
【図１１Ｂ】
2015118932.tif 000017
【図１１Ｃ】
2015118932.tif 000018
【国際調査報告】
2015118932.tif 000019
2015118932.tif 000020
2015118932.tif 000021
2015118932.tif 000022